(57)【要約】      （修正有）【課題】防弾具及び／又は軍用装備を支持するための着用可能な支持構造体を提供する。【解決手段】防弾具３及び／又は軍用装備を支持するための着用可能な支持構造体１は、使用者２のウェスト又はヒップの周りに巻き付けるのに適するバンドと、バンドに結合された下端部を有し使用時にバンドから上向きに延びる背面直立体９と、背面直立体に結合されかつ２本の肩紐１３を備える防弾具及び／又はその他の軍用設備を支持するためのベスト１１と、肩紐１３をバンドに接続するユニット２０と、を備え、接続ユニット２０は、バンドに対して肩紐１３の高さ位置を連続的に調節できるようにモータを備える。【選択図】図４
2017078566.tif 000002
【特許請求の範囲】
【請求項１】
防弾具及び／又は軍用装備を支持するための着用可能な支持構造体であって、
使用者のウェスト又はヒップの周りに巻き付けるのに適するバンドと、
前記バンドに結合された下端部を有しかつ使用時に前記バンドから上向きに延びる背面直立材と、
防弾具及び／又はその他の軍用装備を支持するための支持手段であって、該支持手段が、前記背面直立材に結合されかつ前記背面直立材に対面するそれぞれの後端部分を有する２本の肩紐を備える、支持手段と、
前記後端部分を前記バンドに接続する接続手段と、を備え、
前記接続手段が、前記バンドに対する前記後端部分の高さ位置を連続的に調節するためのモータ付き調節手段を備える、
ことを特徴とする構造体。
【請求項２】
前記モータ付き調節手段がロープ伝動装置と前記ロープ伝動装置を作動するモータとを備える、ことを特徴とする請求項１に記載の構造体。
【請求項３】
前記ロープ伝動装置が、
前記バンドに近接して配置されかつ前記モータによって作動される駆動ホイールと、
前記背面直立材によって支えられる従動ホイールと、
前記ホイールにループ状に巻かれたロープと、を備え、
前記ホイールが、相互から固定距離に配置されたそれぞれのヒンジ軸の周りで回転可能である、
ことを特徴とする請求項２に記載の構造体。
【請求項４】
前記モータ付き調節手段が、更に、
前記バンドに一体的に接続されかつ背面直立材に沿って延びる直線ガイドと、
前記ロープ伝動装置の推力を受けて前記ガイドに沿って両方向に滑動するスライドと、を備え、
前記肩紐の前記後端部分の両方が前記スライドに安定的に接続される、
ことを特徴とする請求項２又は３に記載の構造体。
【請求項５】
前記モータ付き調節手段が、更に、
前記モータと前記ロープ伝動装置との間に配置されたウォームスクリュー−ウォームホイール伝動装置を備える、
ことを特徴とする請求項２〜４のいずれか１項に記載の構造体。
【請求項６】
第１及び第２中空体を備え、その各々をそれぞれの肩紐が通過し、
前記中空体が前記ガイドの両側面に配置され、かつ両方が前記ガイドに実質的に平行のそれぞれの軸の周りで回転するように前記背面直立体に蝶番式に接続されている、
ことを特徴とする請求項４に記載の構造体。
【請求項７】
前記モータが前記直線ガイドに平行の出力軸を有する、ことを特徴とする請求項４〜６のいずれか１項に記載の構造体。
【請求項８】
前記モータが前記ヒンジ軸に直交する出力軸を有する、ことを特徴とする請求項３に記載の構造体。
【発明の詳細な説明】
【技術分野】
【０００１】
本発明は、防弾具及び／又は軍用装備を支持するための着用可能な支持構造体に関する。
【背景技術】
【０００２】
軍事分野及び民生分野の両方において、背中又は肩で、但し使用者の脊柱に過荷重になることなく又は局所的な応力を生じることなく、荷重を支える必要性を感じている。
【０００３】
このために、荷重を支持し腰椎バンドに接続される２本の肩紐を有する構造物が知られている。腰椎バンドは、前記腰椎バンドによって使用者の肩から腰椎エリアへ重量の少なくとも一部を移行するように、使用者のウェスト又はヒップの周りに巻かれる。
【０００４】
以下の説明において明白に言及する（それによって一般性を失うことはない）軍事分野に具体的に言及すると、構造体は、少なからぬ重量及び厚みを持つ剛性板である防弾具を支持する。更に、構造体は、例えば、極端な天候条件の下で作用できるようにするために、軽中量の武器、弾薬、センサ、明白な使命のための物資、食糧及び水補給物など、少なからぬ量の装備を支持するように配置される。
【０００５】
既知の装置においては、特定の条件下において、積載武器全体の重量は、ほぼ全面的に使用者の肩に掛かって、使用時に、避けようのない圧力と擦れによって擦過傷及び局所的外傷を生じる。
【０００６】
他の解決法において、荷重は、ほとんどが脊椎に作用して、短期的及び長期的に身体的な問題を生じる。
【０００７】
性質上巻き付けられ非通気性の材料で作られる防弾具は、実験により自然の熱調整を阻害することが判明した。これは、多量の液体を消費し、労力を要する状況において脱水症の危険を伴い、いずれの場合にも使用者の効率が低下することが明らかである。
【０００８】
今日、肩紐が背面バーを介して腰椎バンドに接続される構造体が知られている。背面バーは、使用者の背中の背後に延びて、実質的に垂直バーによって形成される。背面バーは、下端部においてジョイントによって腰椎バンドに結合され、上端部において固定板によって２本の肩紐に結合される。固定板は、背面バーに作られる対応するシートに結合されるような形状を持つ。
【０００９】
所定数のシートが設置される。シートは、背面バーに対して肩紐の位置を別個に調節できるようにしかつそれぞれ異なる体格及び／又は身長を有する人のために支持構造体を調節できるようにするために、相互に垂直方向に整列される。肩紐のために設定された高さ位置は、上記の板と一体的な歯によってロックされる。板は、上記の背面バーを通過して、背面バーに沿って相互に離間した位置に作られた長方形スロットにおいてロックできる。
【００１０】
今日、ロック歯をロック／アンロックする機構を手で操作する必要なくかつ歯自体の高さを手で調節する必要なく、腰椎バンドに対して肩紐の高さを調節し易くする必要性を感じる。特に、支持構造体をすでに装着した後でも容易に肩紐の高さを調節できかつ非常に短時間でかつ身体的努力なしに肩紐の位置を調節できる必要性を感じる。
【発明の概要】
【発明が解決しようとする課題】
【００１１】
本発明の目的は、単純かつ安価に上記の要件を満たせるようにする、防弾具及び／又は軍用装備を支持するための着用可能な支持構造体を提供することである。
【課題を解決するための手段】
【００１２】
本発明によれば、防弾具及び／又は軍用装備を支持するための着用可能な支持構造体が提供される。支持構造体は、使用者のウェスト又はヒップの周りに巻き付けるのに適するバンドと、前記バンドに結合された下端部を有しかつ使用時に前記バンドから上向きに延びる背面直立材と、防弾具及び／又はその他の軍用装備を支持するための支持手段であって、支持手段が、前記背面直立材に結合されかつ前記背面直立材に対面するそれぞれの後端部分を有する２本の肩紐を備える、支持手段と、前記後端部分を前記バンドに接続する接続手段と、を備え、前記接続手段が、前記バンドに対する前記後端部分の高さ位置を連続的に調節するためのモータ付き調節手段を備えることを特徴とする。
【００１３】
好ましくは、上に規定する構造体において、モータ付き調節手段は、ロープ伝動装置と、前記ロープ伝動装置を作動するモータとを備える。
【００１４】
好都合なのは、更に、ロープ伝動装置は、前記バンドの高さに配置されかつ前記モータによって作動される駆動ホイールと、前記背面直立材によって支えられる従動ホイールと、前記ホイールにループ状に巻かれたロープと、を備え、前記ホイールが、相互から固定された距離に配置されたそれぞれのヒンジ軸の周りで回転可能である。
【００１５】
好ましくは、前記モータ付き調節手段は、更に、バンドに一体的に接続されかつ背面直立材に沿って延びる直線ガイドを備え、直線ガイドは、所与の実施例において、背面直立材と一致し（但し、必ずしもそうでなくても良い）、モータ付き調節手段は、更に前記ロープ伝動装置の推力を受けてガイドに沿って両方向に滑動するスライドを備え、肩紐の後端部分の両方が前記スライドに安定的に接続される。
【００１６】
好都合なのは、モータ付き調節手段が、更に、モータと前記ロープ伝動装置との間に配置されたウォームスクリュー−ウォームホイール伝動装置も備える。ウォームスクリューとウォームホイールの組合せは、高い減速比を保証し、小さい出力及びサイズを持ち高い回転速度で回転するモータを使用できるようにするので、荷重の連続的かつ正確な調節及び配分のために充分な出力トルクを常に得られる。
【００１７】
次に、本発明について、その非限定的実施形態を例示する添付図面を参照しながら説明する。
【図面の簡単な説明】
【００１８】
【図１】本発明に係る防弾具を支持するための着用可能な支持構造体の好ましい実施形態を概略的かつブロック式に示す前面図である。
【図２】本発明に係る防弾具を支持するための着用可能な支持構造体の好ましい実施形態の概略的かつブロック式に示す背面図である。
【図３】図１及び図２と同様の図であり、１つの作動条件の支持構造体の側面図である。
【図４】図１及び図２と同様の図であり、別の作動条件の支持構造体の側面図である。
【図５】拡大して明白化のために一部を取り除いた、図２〜４の詳細図である。
【図６】拡大して明白化のために一部を取り除いた、図２〜４の詳細図である。
【発明を実施するための形態】
【００１９】
図１〜４において、１は、全体として、使用者２が着用する防弾具３及び／又は武器、弾薬、センサ、具体的使命のための物資、食料／水補給物、バックパックなど（図示せず）の軍用装備を支持するための支持構造体を示す。
【００２０】
支持構造体１は、中間後部分６と２つの側面部分７とを備える使用時に使用者２のウェスト又はヒップの周りに巻かれる腰椎バンド（lumbar band）４（部分的に図１に示す）を備える。２つの側面部分は、後部分６によって接合され、既知の様式で使用者２の骨盤の前面で解除可能に相互にフック式に留められる。
【００２１】
支持構造体１は、更に、脊椎プロテーゼ又は背面直立体９を備え、背面直立体は、実質的に垂直方向に延びて、好ましくは解除可能にかつ好都合なのはスナップ作用によって、腰椎バンド４の部分６に結合される下端部１０を有する。
【００２２】
支持構造体は、それ自体は既知の（図１、３及び４に部分的に図示する）、防弾板（ballistic plate）３を取り付けるため及び他の積載武器（がある場合）を支持するためのベスト１１も備える。ベスト１１は、既知の様式で背面直立体９に接続され、略図的に示すように、パッド材（図示せず）で被覆された又は被覆されない、好ましくは薄い板又は撓みバンドタイプの２本の肩紐１３を備える。肩紐１３は、既知の様式で取付けベストに接続できるそれぞれの前面部分１４と、使用者２の肩の上に延びる中間部分１５と、それぞれの後端部分１６とを有する。
【００２３】
後端部分１６は、腰椎バンド４に対して後端部分１６の位置を連続的に調節するためのモータ付きユニット（参照番号２０で示す）によって腰椎バンド４に結合される。
【００２４】
図３及び４及び特に図４及び５を参照すると、ユニット２０は、腰椎バンド４の中間部分６に固定されたカップリング板２１と、カップリング板２１に重ねられかつこれに接続された下側中空剛性体２２とを備える。中空体２２は、板２１に安定的に結合されるか又は板２１に解除可能に、好都合なのは解除可能なスナップ式結合装置によって、板２１に結合される。
【００２５】
ユニット２０は、又、背面直立体９の上端部分に固定された上側中空剛性体２３も備える。中空体２３は、各肩紐１３のために、各肩紐のためのそれぞれのガイド体２５を支持する。ガイド体２５は、前記中空体２３の両側面に配置され、相互に平行でかつ使用時に実質的に垂直方向に延びるそれぞれのヒンジ軸２７の周りで中空体２３に対して自由に回転するように前記中空体２３に蝶番式に接続される。
【００２６】
肩紐１３の後部分１６は、それぞれのガイド体２５を通過し、それぞれのガイド体２５を越えて下向きに突出するそれぞれの後端部分１６Ａを有する（図６）。
【００２７】
再び図５及び６を参照すると、ユニット２０は、更に、好ましくは直線形の、好都合なのは細長い板型のガイド２８を備える。ガイドは、背面直立体９に対面する位置において実質的に軸２７に平行に延び、かつ中空体２２に安定的に接続された下端部２９と上側中空体２３に安定的に接続された上端部分３０とを有する。
【００２８】
ガイド２８は、ユニット２０の一部を形成しかつ肩紐１３の端部分１６Ａに安定的に接続されるスライド３２に結合される。
【００２９】
スライド３２は、モータ付き機械的伝動装置３３の推力を受けてガイド２８に沿って両方向に移動可能である。図示しない変形において、スライド３２は、キャリッジに置き換えられる。
【００３０】
好ましくは、機械的伝動装置３３は、ロープ式であり、ガイド２８及びカップリング板２１に実質的に直交する固定軸３５の周りで回転するように下側中空体２２に結合された駆動滑車３４と、軸３５に平行の固定ヒンジ軸の周りを回転するように上側中空体２３に結合されたガイド遊び滑車３６とを備える。ロープ３８又は閉リング型ベルト（そのアーム３９の中間部分はスライド３２に安定的に接続される）は、滑車３４及び３６に巻かれる。
【００３１】
ガイド体２５、ガイド２８及びスライド３２は、図２、３及び４から分かるように、防弾板Ａによって保護される。
【００３２】
更に図４及び５を参照すると、滑車３４は、軸３５と同軸でありかつ滑車３４に一体的に接続されたウォームホイール３４と、中空体２２に安定的に接続されバッテリＢからの動力を受ける直流モータ４４の出力軸４３の延長部を構成するスクリュー４２と、を備えるウォームスクリュー−ウォームホイール伝動装置４０によって駆動される。
【００３３】
説明する特定の実施例において、モータ４４は、ガイド２８及び軸３５に直交する方向に延びて、特に前記軸３５に平行の方向において非常にコンパクトなユニットの展開を可能にする。又、ロープ伝動装置３３は、同じ方向におけるユニットのコンパクトさに貢献する。
【００３４】
図示しない変形において、モータ４４は、ガイド２８及び軸３５に直交する方向において非常にコンパクトな作動装置を展開できるようにするために、ガイド２８に平行の位置に延在する。
【００３５】
モータ４４の構造がどのようであっても、使用時に、例えば遠隔制御によって又は例えば腰椎バンド及びいずれにしても使用者２が簡単に手を伸ばせる保護されたエリアに配置されたプッシュボタンパネルに作用することによってモータ４４を作動することによって、スライド３２は、ガイド２８に沿って移動して、図３及び５に示す最大伸張位置から図４及び６に示す最小伸張位置との間で肩紐１３の長さを連続的に調節する。
【００３６】
このようにして、どのような作動条件においても運搬する荷重に関係なく、使用者は、自律的に肩から腰へ及びその逆に荷重を移行できる。即ち、必要に応じて肩と腰椎領域との間で負荷を配分できる。特に、電動モータを使用することによって、明らかに、肩と腰椎領域との間の荷重の配分を、非常に短時間に容易に努力なく所望の頻度で使用者がどのような体位であっても即ち使用者が立っているか車中で座っているか横になっているかに関係なく、単純な電気制御によって、カスタマイズでき、変更できる。このことは、極端な過荷重の状況において重要である。なぜなら、肩又は腰に対するかなりの圧力を一時的に軽減して、関連する微小外傷を減少し、強さと回復力を増強する。
【００３７】
荷重が腰に移動するとき、脊椎へのストレス及び躯幹の筋肉による仕事量が減少して、使用の快適さを増大し疲労を減少する。
【００３８】
更に、荷重が腰椎領域へ移行する時、図３に示すように、使用者の身体に対する防弾具の緊張作用（straining action）がほぼ排除されるので、防弾具が使用者から離れる。これは、使用者が自由に呼吸できるようにし、自然の身体の熱調節を阻害せず、一方の側において防弾具によって又他方の側において使用者の身体によって形成された空間において空気が流れるようにして、発生した熱及び水分を除去できるようにする。
【００３９】
その代わりに、荷重が肩へ移行するとき、システムは、よりコンパクトになり安定する。この構成は、一次的な激しい活動（ランニング、ジャンプ）の場合により有益である。なぜなら、防弾具の身体への密着が増し、その結果、振動及び衝撃が減少する。振動及び衝撃は、不快さ及び散漫さの元となる可能性がある。更に、肩へ荷重が移行することによって、腰への圧力を一時的に軽減でき、回復力を強化し、高荷重に耐える能力を増大できる。
【００４０】
言い換えると、上記の支持構造体１は、安全性及び使用の快適さを改良できる。即ち、使用者が疲労を減少できるようにするので、同じ身体性能でより多くの重量を運ぶことができるようにするか、又は同じ重量を運びながらより良い身体性能が得られる。
【００４１】
実験により、モータによる作動なので既知の装置に比べて重量が増すにもかかわらず、上記の支持構造体１は、使用者が同じ身体的性能を持ちながらモータによる作動の重量より大きい付加的重量を運べるようにするので、システムはエネルギー効率的に実際に有利である。
【００４２】
最後に、上記のことから、請求項において規定される本発明の保護範囲から逸脱することなく、上記の着用可能な支持構造体１には修正及び変更を加えることができることが明白である。
【００４３】
特に、上に説明するモータ４４及び伝動装置３３及び４０は、実施例として示したものと異なるものであるか又は説明し添付図面に示す位置とは異なる位置に配置できる（但し、使用者の肩と腰又は腰椎領域との間で荷重を連続的に配分できるようにする）。
【図１】
2017078566.tif 000003
【図２】
2017078566.tif 000004
【図３】
2017078566.tif 000005
【図４】
2017078566.tif 000006
【図５】
2017078566.tif 000007
【図６】
2017078566.tif 000008
【外国語明細書】
2017078566000001.pdf